(57)【特許請求の範囲】
【請求項１】
操作部、ヒンジ機構、及び取外し可能なカバーが設けられた第１面を含む第１筐体と、
前記ヒンジ機構により前記第１面に直交する軸周りであり、前記カバーと対向する位置から前記カバーから退避した位置の間を回転可能に支持された第２筐体と、を備え、
前記第１筐体は、前記カバーに覆われた位置に部品を収納可能であり、
前記カバーにより覆われる前記部品は、前記第１筐体内に設けられたコネクタに取り付け及び取り外し可能である、電子装置。
【請求項２】
前記第１面は、互いに交差する第１及び第２辺を含み、
前記ヒンジ機構は、前記第２辺よりも前記第１辺の近くにあり、
前記カバーは、前記第１辺に沿って前記ヒンジ機構と前記第２辺との間に設けられている、を備えた請求項１の電子装置。
【請求項３】
前記第１筐体に装着された前記部品は、前記第２筐体に設けられた他の部品にケーブルを介して導通接続される、請求項１又は２の電子装置。
【請求項４】
前記カバーは、前記第１筐体に取付けられた状態で、前記第１筐体に組み付けられた前記操作部を押える、請求項１乃至３の何れかの電子装置。
【請求項５】
前記第１面は、前記第１辺に交差し前記第２辺に対向する第３辺を含み、
前記第１面には、前記第１辺に沿って設けられ前記ヒンジ機構と前記第３辺との間に設けられた取外し可能な別のカバーを備えた、請求項２の電子装置。
【請求項６】
前記第２筐体は、前記ヒンジ機構により前記軸に直交する軸周りに回転可能に支持されている、請求項１乃至５の何れかの電子装置。
【発明の詳細な説明】
【技術分野】
【０００１】
本発明は、電子装置に関する。
【背景技術】
【０００２】
例えば筐体内にある部品の交換や筐体内部を確認する等のために、筐体に取外し可能なカバーが設けられた電子装置が知られている。特許文献１〜３には、このような電子装置に関連した技術が記載されている。
【先行技術文献】
【特許文献】
【０００３】
【特許文献１】実開平５‐６６７２５号公報
【特許文献２】特開平５−１０８２０２号公報
【特許文献３】実用新案登録第３０７１５０９号公報
【発明の概要】
【発明が解決しようとする課題】
【０００４】
カバーが設けられた位置によっては、ユーザがカバーを取外す作業が煩雑になるおそれがある。
【０００５】
本発明は、カバーへのアクセスが容易な電子装置を提供することを目的とする。
【課題を解決するための手段】
【０００６】
本明細書に開示の電子装置は、操作部、ヒンジ機構、及び取外し可能なカバーが設けられた第１面を含む第１筐体と、前記ヒンジ機構により前記第１面に直交する軸周りであり、前記カバーと対向する位置から前記カバーから退避した位置の間を回転可能に支持された第２筐体と、を備え、前記第１筐体は、前記カバーに覆われた位置に部品を収納可能であり、前記カバーにより覆われる前記部品は、前記第１筐体内に設けられたコネクタに取り付け及び取り外し可能である。
【発明の効果】
【０００７】
カバーへのアクセスが容易な電子装置を提供できる。
【図面の簡単な説明】
【０００８】
【図１】図１は、本実施例のノート型コンピュータの説明図である。
【図２】図２は、カバーの取外し作業の説明図である。
【図３】図３は、カバーの取外し作業の説明図である。
【図４】図４は、カバーを取外した状態を示した図である。
【図５】図５は、変形例のノート型コンピュータの説明図である。
【発明を実施するための形態】
【０００９】
ノート型コンピュータを電子装置の一例として説明する。図１は、本実施例のノート型コンピュータ１の説明図である。ノート型コンピュータ１は、筐体１０、２０を有している。筐体１０、２０は、２軸ヒンジＨにより連結されている。筐体１０，２０はそれぞれ第１及び第２筐体の一例である。２軸ヒンジＨは、ヒンジ機構の一例である。筐体１０は、上面１１、上面１１と対向する底面、を含む。上面１１は、第１面の一例である。筐体１０は、略矩形状であり、辺１３〜１６を含む。辺１３、１４は対向し平行である。辺１５、１６は対向し平行である。辺１３、１４のそれぞれは、辺１５、１６のそれぞれに直交する。尚、図１において辺１３は、筐体２０により隠れている。
【００１０】
上面１１には、ノート型コンピュータ１を操作するためのキーボードＫ、タッチパッドＴ、カバー３０、４０、２軸ヒンジＨが設けられている。キーボードＫ、タッチパッドＴは、操作部の一例である。筐体１０内には、ノート型コンピュータ１の動作全体を制御するためのマザーボードが収納されている。カバー３０、４０、２軸ヒンジＨは、辺１３に沿うように設けられている。２軸ヒンジＨは、辺１３の中心に設けられている。２軸ヒンジＨは、辺１４〜１６よりも辺１３に近い。カバー３０は２軸ヒンジＨと辺１５の間に設けられている。カバー４０は、２軸ヒンジＨと辺１６との間に設けられている。カバー３０は、取外し可能なカバーの一例である。カバー４０は、取外し可能な別のカバーの一例である。
【００１１】
筐体２０は、正面２１、正面２１と対向する背面２２を含む。正面２１には、画像を表示するディスプレイＤが設けられている。筐体２０は、略矩形状であり、辺２３〜２６を含む。辺２３、２４は対向し平行である。辺２５、２６は対向し平行である。辺２３、２４のそれぞれは、辺２５、２６のそれぞれに直交する。
【００１２】
２軸ヒンジＨは、筐体１０、２０を異なる２つの軸心Ａ１、Ａ２周りに回転可能に連結している。軸心Ａ１、Ａ２は直交する。軸心Ａ１は、上面１１に垂直である。軸心Ａ２は、上面１１を含む平面に含まれる。
【００１３】
上面１１、正面２１が重なった状態から軸Ａ２回りに筐体２０を回転させることにより、図１に示すようにキーボードＫ、ディスプレイＤが露出する。ユーザはこの状態でノート型コンピュータ１を使用するのが一般的である。尚、図１に示した状態では、辺１３、２３が平行である。このため、筐体２０は、カバー３０、４０に対向している。
【００１４】
カバー３０、４０の取外し作業について説明する。図２、３は、カバー３０、４０の取外し作業の説明図である。図２に示すように、筐体２０を軸心Ａ１回りに回転させてカバー３０、４０から退避させる。これにより、図３に示すように、ユーザは、カバー３０、４０にアクセスでき、カバー３０、４０を筐体１０から取外すことができる。カバー３０は、筐体１０にネジより固定されている。カバー３０は、筐体１０の一部と係合する爪部３４が設けられている。カバー４０も同様である。図３、４は、カバー３０を取外した状態を示している。尚、図４は、筐体１０のみを示している。
【００１５】
筐体１０内には、カバー３０で覆われていた位置に通信カードＣが収納されている。この通信カードＣは、筐体１０内に設けられたコネクタに接続されている。このコネクタは、図３に示すように、筐体１０、２０内で引きまわれされたケーブルＣＢに接続されている。ケーブルＣＢは、２軸ヒンジＨの内部を通過して筐体２０内でディスプレイＤの裏側に引き回されている。筐体２０内の辺２４側には、アンテナＡＴが設けられている。ケーブルＣＢはアンテナＡＴに導通接続されている。即ち、筐体１０内に収納された通信カードＣは、アンテナＡＴと導通接続している。通信カードＣは、筐体１０から取外しや交換可能である。通信カードＣは部品の一例である。アンテナＡＴは他の部品の一例である。尚、カバー４０側には、このような通信カードは収納されていない。
【００１６】
このように、ユーザがアクセスする筐体１０のキーボードＫ、タッチパッドＴと同じ上面１１にカバー３０、４０が設けられている。このため、カバー３０、４０から退避するように筐体２０を回転させることにより、ユーザはカバー３０、４０へ容易にアクセスできる。これにより、カバー３０、４０の取外し作業や、通信カードＣの交換、取付け、取外し作業等も容易になる。
【００１７】
例えば、筐体１０の底面にカバーが設けられている場合には、ユーザがカバーにアクセスするには筐体１０を裏返す必要があり作業が煩雑である。本実施例のように、ユーザが操作するキーボードＫと同一の上面１１にカバー３０、４０が設けられているので、筐体１０を裏返す必要がない。
【００１８】
例えば、このようなカバーを筐体１０の底面側のキーボードＫと重なる位置に設けた場合、部品もキーボードＫと重なる位置に設けられるため、筐体１０の厚みが増すおそれがある。本実施例では、カバー３０、４０は上面１１側でありキーボードＫやタッチパッドＴＰを避けた領域に設けられているので、筐体１０の厚みの増大が抑制されている。
【００１９】
カバー３０が２軸ヒンジＨ近傍に設けられ、通信カードＣはカバー３０により覆われた位置に収納されている。このため、通信カードＣは２軸ヒンジＨ近傍に収納されている。このため、通信カードＣと筐体２０内に収納されているアンテナＡＴとを接続するケーブルＣＢの長さを短くすることができる。これにより、コストも低減される。また、ケーブルＣＢを短くすることにより、アンテナＡＴの性能も確保することができる。
【００２０】
カバー３０、４０は、ユーザがアクセスするキーボードＫ等が設けられた上面１１側に設けられてはいるが、図１に示す通常の使用態様においてはユーザが一般的にアクセスすることがない位置に設けられている。従って、カバー３０、４０は、上面１１上でのキーボードＫやタッチパッドＴＰの占有領域に影響を与えない位置に設けられている。よって、キーボードＫやタッチパッドＴＰの領域が確保されている。
【００２１】
図５は、変形例であるノート型コンピュータ１ａの説明図である。ノート型コンピュータ１ａについては、ノート型コンピュータ１と類似の符号を使用することにより重複する説明を省略する。図５は、筐体１０ａのみを示している。ノート型コンピュータ１ａのキーボードＫａは、筐体１０ａに取付けられたカバー３０ａ、４０ａによって押えられている。具体的には、キーボードＫａは、略矩形状であり、筐体１０ａの辺１３ａに略平行な辺Ｋ３を有している。辺Ｋ３には、辺１３ａに向けて突出した複数の突部Ｋ４が一定の間隔をおいて形成されている。カバー３０ａ、４０ａが筐体１０に取付けられることにより、キーボードＫａの突部Ｋ４がカバー３０ａ、４０ａにより押えられる。これにより、キーボードＫａが筐体１０ａに固定される。このため、カバー３０ａ、４０ａを筐体１０ａから取外せば、キーボードＫａを筐体１０ａから取外すことができる。このように、キーボードＫａを容易に取外すことができ、交換作業性やメンテナンス性も向上する。
【００２２】
以上本発明の好ましい一実施形態について詳述したが、本発明は係る特定の実施形態に限定されるものではなく、特許請求の範囲に記載された本発明の要旨の範囲内において、種々の変形・変更が可能である。
【００２３】
電子装置の一例としてノート型コンピュータを例に説明したがこれに限定されない。電子装置は、例えば、携帯電話、携帯テレビ、電子辞書、ＰＤＡ、ゲーム機、カメラ、音楽プレイヤー、ナビゲーション装置等の携帯装置であってもよい。電子装置は、電子装置は、モニタ、コンピュータが内蔵されたモニタ、テレビ、オーディオ、扇風機、その他の家電製品等の据え置き型の装置であってもよい。
【００２４】
部品の一例として通信カードＣを説明したがこれに限定されない。部品は、メモリやハードディスク等の記録媒体であってもよい。
【００２５】
操作部の一例としてキーボードＫ、タッチパッドＴを説明したがこれに限定されない。操作部は、単一のキー、複数のキー、テンキー、タッチディスプレイ、タッチパネル、トラックボール、レバー、ボタン、スイッチ、ノブ、ホイールの何れでもよい。操作部は、ユーザが操作でき、操作部が操作されることにより電子装置に所定の指令を与えることができるものであれば何でも良い。
【００２６】
２つのカバー３０、４０が設けられた例を説明したが、何れか一方のみが設けられていてもよい。また、辺１３に沿って２軸ヒンジＨと辺１５との間、又は辺１３に沿って２軸ヒンジＨと辺１６との間に複数のカバーが設けられていてもよい。
【００２７】
ヒンジ機構として２軸ヒンジＨを例に説明したがこれに限定されない。上面１１に直交する軸周りに筐体２０を回転可能に支持したものであればよい。
【００２８】
ケーブルＣＢは、単一のケーブル、複数のケーブルが接合されたもの、フラットケーブル、フレキシブルプリントケーブルの何れでもよい。
【００２９】
他の部品としてアンテナＡＴを例に説明したがこれに限定されない。
【符号の説明】
【００３０】
１  ノート型コンピュータ
１０、２０  筐体
１１  上面（第１面）
１３〜１６  辺
３０、４０  カバー
Ｃ  通信カード
Ｋ  キーボード（操作部）
Ｔ  タッチパッド（操作部）
ＡＴ  アンテナ
ＣＢ  ケーブル
【図１】
0005941740.tif 000002
【図２】
0005941740.tif 000003
【図３】
0005941740.tif 000004
【図４】
0005941740.tif 000005
【図５】
0005941740.tif 000006